(57)【特許請求の範囲】
【請求項１】
前面に鏡を装着した正面キャビネットと前面に収納棚を有する側面キャビネットを角度をもって連設し、
キャビネットの前方には床面の塵埃を掃き込み可能であって側面に形成された開閉扉部分に開閉状態を検知する開閉スイッチが付設された扁平状のダストボックスを設け、
いずれかのキャビネット部に、キー操作によってスタッフ情報や顧客情報などの情報を入力する情報入力端末装置を配設するとともに、吸入口を顧客の頭髪に接触させて毛屑を吸引するエアークリーニング装置を設置し、
前記ダストボックスの開閉スイッチ、情報入力端末装置及びエアークリーニング装置のブレーカを、通信回線を介してサーバ装置と接続していて入力情報記憶処理機能を有するコントローラに各々接続し、
前記コントローラは、
情報入力端末装置に入力された各種情報を受信して記憶・保存し、
情報入力端末装置からカット開始データがコントローラに送信されるとエアークリーニング装置のブレーカをオンにして作動可能状態に制御し、
ダストボックスの開閉扉が開放して開閉スイッチがオン状態となってカット終了データが送信されるとエアークリーニング装置のブレーカをオフにして作動不能状態に制御し、
データ転送命令を受けて記憶・保存した各種情報を通信回線を介してサーバ装置に転送するように構成されていることを特徴とする理容・美容店舗の作業キャビネット。
【請求項２】
正面キャビネットと側面キャビネットを一対として複数の両キャビネットを交互に互いに角度をもって連設した構成を有する請求項１に記載の理容・美容店舗の作業キャビネット。
【請求項３】
情報入力端末装置は顧客情報を電子化するカードリーダを含む端末装置である請求項１又は２に記載の理容・美容店舗の作業キャビネット。
【発明の詳細な説明】
【０００１】
【発明の属する技術分野】
本発明は、作業環境が効率化し得るように設置する理容・美容店舗の作業キャビネットに関する。
【０００２】
【従来の技術】
従来の理容・美容店舗における作業場所は、家屋壁面に沿って鏡と洗髪台を上下に配置し、洗髪台下部又は左右部の壁面に沿って収納キャビネットを設け、鏡に正対するように散髪用椅子を設置して形成してある。また、鏡を壁面に設置する一方、洗髪台・収納キャビネットを鏡側方に斜め向きに設置し、散髪用椅子を若干角度（３０°など）回転させてそれぞれに対面させるように形成したものもある。さらには、本発明者が提示したように、壁面に対して斜め向きに鏡壁を設置して、散髪用椅子をこれに正対するように壁面に斜め向きに設置し、椅子側方に逆斜め向きに側壁を配設して形成したものもある。
【０００３】
【発明が解決しようとする課題】
壁面に沿った上記第１の設置形態では、横一列に並設してある散髪用椅子に座っている被散髪者同士が、斜視すると互いに見合う状態となってしまう不都合があること、隣接作業者がぶつからないような広い横スペースを確保する必要があることなどから、改善が望まれる。上記第２の設置形態では、見合う状態は改善できるものの、洗髪台・収納キャビネット斜め張出し分だけ占有スペースを必要とし、作業者がぶつからないような広い横スペースはやはり必要としており、改善が望まれる。
【０００４】
第３の設置形態は、斜めと逆斜めの配置構成となるので、上記問題点を改善することができるが、効率的なユニット構成の具体化が望まれる。
本発明は、かかる従来の問題点に鑑みてなしたものであって、その目的とするところは、効率的な散髪作業が行えるようにし、また、隣接被散髪者同士が見合うことなく散髪を受けられ、比較的狭い占有スペースとしながらも、効率的で安全な散髪作業ができる設備を、ユニット化して提供することにある。
【０００５】
【課題を解決するための手段】
上記目的を達成するため、本発明の理容・美容店舗の作業キャビネットは、前面に鏡を装着した正面キャビネットと前面に収納棚を有する側面キャビネットを角度をもって連設し、
キャビネットの前方には床面の塵埃を掃き込み可能であって側面に形成された開閉扉部分に開閉状態を検知する開閉スイッチが付設された扁平状のダストボックスを設け、
いずれかのキャビネット部に、キー操作によってスタッフ情報や顧客情報などの情報を入力する情報入力端末装置を配設するとともに、吸入口を顧客の頭髪に接触させて毛屑を吸引するエアークリーニング装置を設置し、
前記ダストボックスの開閉スイッチ、情報入力端末装置及びエアークリーニング装置のブレーカを、通信回線を介してサーバ装置と接続していて入力情報記憶処理機能を有するコントローラに各々接続し、
前記コントローラは、
情報入力端末装置に入力された各種情報を受信して記憶・保存し、
情報入力端末装置からカット開始データがコントローラに送信されるとエアークリーニング装置のブレーカをオンにして作動可能状態に制御し、
ダストボックスの開閉扉が開放して開閉スイッチがオン状態となってカット終了データが送信されるとエアークリーニング装置のブレーカをオフにして作動不能状態に制御し、
データ転送命令を受けて記憶・保存した各種情報を通信回線を介してサーバ装置に転送するように構成されていることを特徴とする。
【０００６】
本発明の理容・美容店舗の作業キャビネットは、前記正面キャビネットと側面キャビネットを一対として複数の両キャビネットを交互に互いに角度をもって連設して構成することができる。情報入力端末装置は顧客情報を電子化するカードリーダを含む端末装置とするのが好ましい。
【０００７】
【発明の実施の形態】
以下、本発明の理容・美容店舗の作業キャビネットの好適な実施形態について、図面を参照して説明する。
【０００８】
店舗内は複数の作業区画１及び１つの受付区画２を画成してあり、各作業区画１に作業キャビネット３を、受付区画２に受付キャビット４を設置してある。
作業キャビネット３は正面キャビネット５と側面キャビネット６を互いに９０〜１２０°程度の内角、最も好ましくは１１０°前後の内角となるように交差状に配設し、この正面キャビネット５に正対し、側面キャビネット６が側方に位置するように作業キャビネットに囲われて散髪用椅子７を配置し、散髪用椅子７の下方にダストボックス８を配設してある。
【０００９】
作業区画１は、一の作業キャビネット３の正面キャビネット解放側端に別の作業キャビネット３の側面キャビネット解放側端を連設することにより、複数の作業キャビネット３を連続交差状に設置してあり、この正面キャビネットと側面キャビネットとの角度も９０〜１２０°程度の外角、最も好ましくは１１０°前後の外角となるように交差状に配設し、この状態で、複数の散髪用椅子７は斜め平行に配置されて、それぞれの正面キャビネット５に正対している。
【００１０】
正面キャビネット５は、図３にも示すように、上部に大きな鏡５ａを装着した外ドア５ｂを設け、外ドア５ｂの内側に洋服などを掛け吊るし得る空隙５ｃを置いて、内ドア５ｄを設け（図では上下二段に設け）、内ドア内に収納部５ｅを設け、この収納部（図では上の収納部）にエアクリーニング装置９の吸引ポンプ９ａを配設し、内ドアの外面に吊り具５ｆを装着し、正面キャビネット５の下端にはダストボックス８端の当接部を形成してある。
正面キャビネット５の正面側方にはカードホルダー１０を装着してある。このカードホルダーは側面キャビネット６の前面に装着してもよい。
なお、外ドア、内ドアともに適宜枚数に区分設計するは任意である。
【００１１】
側面キャビネット６には、図４にも示すように、キャビネット前面が出し入れ面となった収納棚６ａを設け、前面に情報入力端末装置１１を設置し、散髪用椅子７の後側となる側面キャビネットの側端寄り部位にエアホース９ｂの垂下部９ｆを収納する収納凹部６ｂを上端に至って形成し、キャビネット面にエアクリーニング装置９のブレーカ１６を装着してある。
【００１２】
ダストボックス８は、図１に示すように、扁平な中空箱体とし、任意側板部好ましくは散髪用椅子７の後側となる側端板部を開口とし、この開口部に開閉板８ａを装着し、この開閉板を開放してダストボックス内にカット髪、塵埃等を掃き込んで収納することができるようにしてある。また、開閉板乃至ダストボックスの開口部には、開閉板８ａの開閉状態を検知する開閉スイッチ８ｂを付設してある。
ダストボックス下面の開口部側は掃き込みやすいように段差の少ない端部形態としてある。ダストボックスは作業キャビネット３から分離できるようにしてあり、収納した塵埃類は開閉板８ａ又は別の側板部に設けた開閉口を開いて廃棄することができる。
なお、正面キャビネット５の下端部にダストボックス８を正面外方にスライドして出し入れ可能なダストボックス挿入部を形成するようにしてもよい。
【００１３】
エアクリーニング装置９は、図１〜４に示すように、収納部５ｅに設置した吸引ポンプ９ａ、エアホース９ｂ、その先端に装着した吸入口９ｃを有しており、エアホース９ｂは、吸引ポンプ９ａから正面キャビネット５上方への立上り部９ｄと、その上端部を回転自在に支持するとともに側面キャビネット６の側端部付近まで水平状に延び、上記支持部を回転軸として円回動可能な硬質パイプ部９ｅと、硬質パイプ部先端から垂下したフレキシブルホースの垂下部９ｆとを有して形成してある。
側面キャビネット６の収納凹部６ｂに収納されているエアホース９ｂの吸入口９ｃ付き垂下部９ｆは、該凹部から引き出して水平方向に回動自在であり、吸入口９ｃを顧客の頭髪部に接触させることにより、カット髪を吸引できるようになっている。
なお、エアクリーニング装置９は吸引ポンプ９ａを含めて側面キャビネット６の背面側に配設するようにしてもよい。
【００１４】
情報入力端末装置１１は、図５に示すように、ディスプレイ１２、操作キー１３、カードリーダ１４、エアクリーニングスイッチ１５を配置してある。
操作キー１３は、開店／閉店キー１３ａ、出社／退社キー１３ｂ、カット担当キー１３ｃ、カット開始キー１３ｄ、確定キー１３ｅ、取消キー１３ｆ、カット終了キー１３ｇ、スクロールキー１３ｈ、テンキー１３ｉなどから構成される。
エアクリーニングスイッチ１５はエアクリーニング装置の吸引ポンプ９ａを作動させるスイッチである。
【００１５】
カードホルダー１０は、図６に示すように、スタッフ用ＩＤカード１７を挿入、保持しておくものである。
尚、スタッフ用ＩＤカード１７には、スタッフの顔写真、番号、氏名等が印刷されているとともに、当該スタッフに関する個人情報が記録されている。
【００１６】
受付キャビネット４には、図７に示すように、前面部に利用券販売機１８及びコントローラ１９を配設してある。
利用券販売機１８は、入金機２０及びプリンタ２１とから構成されており、図８に示すように、入金機２０には紙幣挿入口２２を形成し、図９に示すように、プリンタ２１には利用券取出口２３を形成してある。
そして、紙幣挿入口２２に所定の紙幣を挿入することにより、利用券取出口２３から、図１０に示すような利用券２４が印字、排出されるようになっている。また、図１１に示すような入金件数表示シート２５も排出できるようになっている。
【００１７】
コントローラ１９は、図１２に示すように、表面パネル２６に入金機動作状態表示部２７、プリンタ動作状態表示部２８、情報入力端末装置動作状態表示部２９を形成してあり、動作中であるか否かなどを確認できるようになっている。
また、コントローラ１９は、各種機器を制御するとともに、各種情報を処理、記憶する機能を有している。
なお、店舗の入口外側には、複数色に点灯するシグナル装置を設置し、このシグナル装置により、店内の混雑状況を視覚で認識できるようにしておくのが好ましい。
【００１８】
上記構成を備えた理容・美容店舗は、店舗内のコンピュータ管理のみならず、多店舗管理に資することができる。例えば、業務委託機関にウェブサーバ装置及びデータベースサーバ装置を配設し、各店舗から受信した各種情報を処理、記憶するとともに、管理本部、金融機関、オーナー、スタッフなどとの間で各種情報を送信又は受信するようにすることができる。
各店舗、金融機関との間では専用回線を介して、管理本部、オーナー、スタッフとの間ではインターネット（Ｉｎｔｅｒｎｅｔ）を介して接続するのがよい。
【００１９】
すなわち、管理本部には複数のクライアント装置を設置し、これらによって前記ウェブサーバ装置及びデータベースサーバ装置との間で各種情報を送信又は受信し、オーナー、スタッフは自己の所有する適宜クライアント装置によって前記ウェブサーバ装置及びデータベースサーバ装置から各種情報を受信するようになっている。
【００２０】
次に、本発明を含む上記したネットシステムの機能を説明すると以下のようになる。
店舗に最初に出社したスタッフは、適宜作業キャビネット３の情報入力端末装置１１によって開店処理を実行する。
情報入力端末装置１１の開店／閉店キー１３ａを押下して、ディスプレイ１２に”開店”という文字を表示させる。次いで、テンキー１３ｉを押下して、開店時の気象状況を入力する。「０」は晴れ、「１」は曇り、「２」は雨、「３」は雪のごとくである。
確定キー１３ｅを押下すると、開店データはコントローラ１９に送信され、店舗外のシグナル装置は緑色点灯状態となる。
【００２１】
店舗を最後に退社するスタッフは、適宜作業キャビネット３の情報入力端末装置１１によって閉店処理を実行する。
情報入力端末装置１１の開店／閉店キー１３ａを押下して、ディスプレイ１２に”閉店”という文字を表示させる。次いで、上記と同様に、テンキー１３ｉを押下して、閉店時の気象状況を入力する。
確定キー１３ｅを押下すると、閉店データはコントローラ１９に送信され、シグナル装置は赤色点灯状態となる。さらに、プリンタ２１から当日の入金件数表示シート２５が排出される。
【００２２】
スタッフは、出社時に適宜作業キャビネット３の情報入力端末装置１１によって出社処理を実行する。
情報入力端末装置１１の出社／退社キー１３ｂを押下して、ディスプレイ１２に”出社”という文字を表示させる。次いで、カードリーダ１４にスタッフ用ＩＤカード１７を通すと、ディスプレイ１２にスタッフのＩＤコードが表示され、出社データがコントローラ１９に送信される。
退社処理も同様である。情報入力端末装置１１の出社／退社キー１３ｂを押下して、ディスプレイ１２に”退社”という文字を表示させる。次いで、カードリーダ１４にスタッフ用ＩＤカード１７を通すと、ディスプレイ１２にスタッフのＩＤコードが表示され、出社データがコントローラ１９に送信される。
また、スタッフは私服と作業着を、正面キャビネット５の外ドア裏の空隙５ｃに吊架し、私物を収納部５ｅに収納しておくことができる。
【００２３】
スタッフは、カット作業を最初に実施する前に、作業キャビネット３の情報入力端末装置１１によってカット担当処理を実行する。
情報入力端末装置１１のカット担当キー１３ｃを押下して、ディスプレイ１２に”担当”という文字を表示させる。次いで、カードリーダ１４にスタッフ用ＩＤカード１７を通すと、ディスプレイ１２にスタッフのＩＤコードが表示され、カット担当データがコントローラ１９に送信される。
【００２４】
顧客は、来店時に、受付キャビネット４の利用券販売機１８の入金機２０の紙幣挿入口２２に例えば１，０００円紙幣を挿入する。すると、プリンタ２１の利用券取出口２３から、発行日付、発行時刻、利用券番号、店舗番号、利用条件等の記載が印刷された利用券２４が印字、排出される。
発券データはコントローラ１９において作成され、保存される。また、混雑状況コードが発券データに付加され、シグナル装置の点灯色が、混雑状況によって緑色、黄色、赤色と変更される。
【００２５】
スタッフは、待機している顧客を順番に呼び出し、顧客より利用券２４を受け取り、カットを開始する前に、情報入力端末装置１１によってカット開始処理を実行する。
情報入力端末装置１１のカット開始キー１３ｄを押下して、顧客情報を入力できる状態とし、テンキー１３ｉを押下して、ディスプレイ１２に利用券番号、顧客の性別、年代、来店区分を入力する。性別に関しては、「１」は男、「２」は女、年代に関しては、「０」は１０代未満、「１」は１０代、「２」は２０代、「３」は３０代、「４」は４０代、「５」は５０代、「６」は６０代以上とするごとくである。また、来店区分に関しては、「１」は新規、「２」は再来としてある。
確定キー１３ｅを押下すると、カット開始データはコントローラ１９に送信される。また、混雑状況コードがカット開始データに付加され、シグナル装置の点灯状態が混雑状況によって緑色、黄色、赤色と変更される。さらに、エアクリーニング装置９のブレーカ１６がＯＮ状態となる。
【００２６】
スタッフは、顧客の頭髪をカットした後、或いはカットしつつ、エアクリーニング装置９をスイッチオンし、エアホース９ｂの垂下部９ｆを回動させて、吸引口９ｃで頭髪中のカット髪（毛屑）を吸引し、カット終了後、ダストボックス８の開閉板８ａを開放して、カット髪、塵埃等を掃いてダストボックス８内に収容する。
ダストボックス８の開閉板８ａを開放すると、開閉スイッチ８ｂがＯＮ状態となり、カット終了データがコントローラ１９に送信される。また、混雑状況コードがカット終了データに付加され、シグナル装置の点灯状態が混雑状況によって緑色、黄色、赤色と変更される。さらに、エアクリーニング装置９のブレーカ１６がＯＦＦ状態となる。
【００２７】
以上が店舗における操作及び処理手順であるが、各処理において作成された各種データはコントローラ１９に保存され、業務委託機関が介在している場合は、ここからのデータ転送命令によってウェブサーバ装置及びデータベースサーバ装置へと転送される。
こうしたシステムによれば、各店舗、業務委託機関、管理本部、金融機関、オーナー、スタッフの間を通信回線を介して接続して、各種情報を送信又は受信するようにしたから、各店舗の売上情報、スタッフ情報、顧客情報等を管理本部が確実かつ迅速に収集することができ、各店舗を管理する労力と時間を大幅に軽減することができる。
また、各店舗の売上情報、スタッフ情報、顧客情報等が確実かつ迅速に収集することができるから、それら情報を分析することによって、各店舗における売上を向上し、サービスを改善する方策を容易に立案することができる。
一方、オーナーにとっては、売上状況を容易に照会することができ、確実な投資が見込めるとともに、スタッフにとっては、カット実績、勤怠状況を容易に照会することができ、正当な評価を期待できる。
【００２８】
【発明の効果】
上記のように、本発明によれば、散髪スタッフは必要情報を端末装置を通して入力しつつ、散髪作業を効率的に進行、管理することができる。
キャビネットは散髪用椅子を正面と側面で囲うように配置できるので、隣接の散髪用椅子との視線の交錯が生じ難く、被散髪者を安心させ、散髪者も作業がしやすくなる。
受付キャビネットのコントローラ等と連係させることにより、散髪作業をより合理的に管理、促進させることができる。被散髪者も散髪者に情報を発信することができ、来店しやすくなる。
ダストボックスを配置してあることにより、清掃作業が簡便になり、ダストボックスの開閉を情報入力端末装置と連係させれば、散髪情報の管理を一層効率化するものとなる。
【図面の簡単な説明】
【図１】本発明に係る作業キャビネットの概略斜視図である。
【図２】図１の作業キャビネットの配置状態を示す平面視略図である。
【図３】作業キャビネットの正面キャビネットを略示し、（Ａ）は正面横断面図、（Ｂ）は正面図、（Ｃ）正面縦断面図である。
【図４】作業キャビネットの側面キャビネットを略示し、（Ａ）は正面横断面図、（Ｂ）は正面図、（Ｃ）正面縦断面図である。
【図５】情報入力端末装置を略示し、（Ａ）は平面視略図、（Ｂ）は正面図、（Ｃ）は側面視略図である。
【図６】カードホルダーを略示し、（Ａ）は平面視略図、（Ｂ）は正面図、（Ｃ）は側面視略図である。
【図７】受付キャビットの概略斜視図である。
【図８】利用券販売機の入金機の正面図である。
【図９】利用券販売機のプリンタの正面図である。
【図１０】利用券の正面図である。
【図１１】入金件数表示シートの正面図である。
【図１２】コントローラを示し、（Ａ）は正面図、（Ｂ）は内側正面図である。
【符号の説明】
１        作業区画
２        受付区画
３        作業キャビネット
４        受付キャビット
５        正面キャビネット
５ａ      鏡
５ｂ      外ドア
５ｃ      空隙
５ｄ      内ドア
５ｅ      収納部
５ｆ      吊り具
６        側面キャビネット
６ａ      収納棚
６ｂ      収納凹部
７        散髪用椅子
８        ダストボックス
８ａ      開閉板
８ｂ      開閉スイッチ
９        エアクリーニング装置
９ａ      吸引ポンプ
９ｂ      エアホース
９ｃ      吸引口
９ｄ      立上り部
９ｅ      硬質パイプ
９ｆ      垂下部
１０        カードホルダー
１１        情報入力端末装置
１２        利用券販売機
１３        操作キー
１４        カードリーダー
１５        エアクリーニングスイッチ
１６        ブレーカ
１７        ＩＤカード
１８        利用券販売機
１９        コントローラ
２０        入金機
２１        プリンタ
２２        紙幣挿入口
２３        利用券取出口
２４        利用券
２５        入金件数表示シート
【図１】
0003623738.tif 000002
【図２】
0003623738.tif 000003
【図３】
0003623738.tif 000004
【図４】
0003623738.tif 000005
【図５】
0003623738.tif 000006
【図６】
0003623738.tif 000007
【図７】
0003623738.tif 000008
【図８】
0003623738.tif 000009
【図９】
0003623738.tif 000010
【図１０】
0003623738.tif 000011
【図１１】
0003623738.tif 000012
【図１２】
0003623738.tif 000013